(57)【要約】【課題】血流の異常がある場所を容易に見つけることができる血流測定装置を提供する。【解決手段】血流測定装置１は人体の複数の血管における血流を検出する血流検出ユニット２、血管位置演算部３８及び血流演算部４０と、人体における複数の場所の血流を表示する表示装置１８と、を備える。表示装置１８は血流の流速と流れる方向を矢印で示す。血流検出ユニット２には血流検出センサーが複数設置され、測定位置の血管の配置に合わせて血流検出センサーが配置されている。【選択図】図４
2017153518.tif 000002
【特許請求の範囲】
【請求項１】
人体の複数の血管における血流を検出する血流検出部と、
人体における複数の場所の前記血流を表示する表示部と、を備えることを特徴とする血流測定装置。
【請求項２】
請求項１に記載の血流測定装置であって、
前記表示部は前記血流の流速と流れる方向を図形で示すことを特徴とする血流測定装置。
【請求項３】
請求項１または２に記載の血流測定装置であって、
前記血流検出部は血流検出ユニットを有し、
前記血流検出ユニットには血流検出センサーが複数設置されていることを特徴とする血流測定装置。
【請求項４】
請求項３に記載の血流測定装置であって、
前記血流検出ユニットでは測定位置の血管の配置に合わせて前記血流検出センサーが配置されていることを特徴とする血流測定装置。
【請求項５】
請求項３または４に記載の血流測定装置であって、
前記血流検出ユニットには設置する場所を示すマークが設置されていることを特徴とする血流測定装置。
【請求項６】
請求項３〜５のいずれか一項に記載の血流測定装置であって、
前記血流検出部は前記血流の流速を測定する流速測定機能及び血管位置を検出する血管位置検出機能を有することを特徴とする血流測定装置。
【請求項７】
請求項６に記載の血流測定装置であって、
前記血流検出部は血管の位置を示す画像情報を出力することを特徴とする血流測定装置。
【請求項８】
請求項６に記載の血流測定装置であって、
人体の血管の配置を示す血管配置データを記憶する記憶部と、
前記記憶部に記憶された血管の配置を参照して前記血流検出部が検出した前記血管位置を変更する血管位置変更部と、を有することを特徴とする血流測定装置。
【発明の詳細な説明】
【技術分野】
【０００１】
本発明は、血流測定装置に関するものである。
【背景技術】
【０００２】
人体の不具合は血液の流れに現れると考えられている。例えば、脈をとる、血圧を測る、顔色を見る、心電図で心臓が正しく動いているか調べるのは、血液の全身の流れが正しいか異常なところがないかを検証する手段の１つである。しかし、血圧を測るときは一般に腕で測定するが、腕で測定した血圧で血流異常を見つけるのは困難である。
【０００３】
血管状態を判断する装置が特許文献１に開示されている。それによると、心電図、両手足の血圧脈波を測定する。そして、血圧脈波のパターンと心電図の信号から血管の閉塞状態を診断している。
【先行技術文献】
【特許文献】
【０００４】
【特許文献１】特開２０１４−６１１８０号公報
【発明の概要】
【発明が解決しようとする課題】
【０００５】
特許文献１は両手足の血圧脈波を用いて判断しているので、血管の異常の有無について判断することができる。血管に異常がある疑いのあるとき、さらに、細かく局所的に検査を行う手順となる。細かい検査では血管に沿って順次検査を行うので血流の異常がある場所を見つけることが容易ではなかった。そこで、人体における血流の異常がある場所を容易に見つけることができる血流測定装置が望まれていた。
【課題を解決するための手段】
【０００６】
本発明は、上述の課題を解決するためになされたものであり、以下の形態または適用例として実現することが可能である。
【０００７】
［適用例１］
本適用例にかかる血流測定装置であって、人体の複数の血管における血流を検出する血流検出部と、人体における複数の場所の前記血流を表示する表示部と、を備えることを特徴とする。
【０００８】
本適用例によれば、血流検出部が人体の複数の血管における血流を検出する。そして、表示部が人体における複数の場所の血流を表示する。従って、人体における血流の異常がある場所を容易に見つけることができる。
【０００９】
［適用例２］
上記適用例にかかる血流測定装置において、前記表示部は前記血流の流速と流れる方向を図形で示すことを特徴とする。
【００１０】
本適用例によれば、表示部は血流の流速と流れる方向を図形で示す。従って、視覚的に血流の流速と流れる方向を把握できるので容易に理解することができる。
【００１１】
［適用例３］
上記適用例にかかる血流測定装置において、前記血流検出部は血流検出ユニットを有し、前記血流検出ユニットには血流検出センサーが複数設置されていることを特徴とする。
【００１２】
本適用例によれば、血流検出部は血流検出ユニットを有している。そして、血流検出ユニットには血流検出センサーが複数設置されている。従って、１つの血流検出ユニットを設置することにより、複数の場所の血管における血流を検出することができる。
【００１３】
［適用例４］
上記適用例にかかる血流測定装置において、前記血流検出ユニットでは測定位置の血管の配置に合わせて前記血流検出センサーが配置されていることを特徴とする。
【００１４】
本適用例によれば、血流検出ユニットでは測定位置の血管の配置に合わせて血流検出センサーが配置されている。従って、血流検出センサーが血管を流れる血流を確実に検出することができる。
【００１５】
［適用例５］
上記適用例にかかる血流測定装置において、前記血流検出ユニットには設置する場所を示すマークが設置されていることを特徴とする。
【００１６】
本適用例によれば、血流検出ユニットには設置する場所を示すマークが設置されている。従って、血流検出ユニットを人体の所定の場所に位置精度良く設置することができる。
【００１７】
［適用例６］
上記適用例にかかる血流測定装置において、前記血流検出部は前記血流の流速を測定する流速測定機能及び血管位置を検出する血管位置検出機能を有することを特徴とする。
【００１８】
本適用例によれば、血流検出部は血流の流速を測定する流速測定機能及び血管位置を検出する血管位置検出機能を有する。従って、血管位置検出機能により検出した血管位置の情報を用いて測定する血管を確認することができる。そして、測定する予定の血管における血流の流速を流速測定機能により測定することができる。
【００１９】
［適用例７］
上記適用例にかかる血流測定装置において、前記血流検出部は血管の位置を示す画像情報を出力することを特徴とする。
【００２０】
本適用例によれば、血流検出部は血管の位置を示す超音波の画像情報を出力する。従って、操作者は血管の位置を容易に確認することができる。
【００２１】
［適用例８］
上記適用例にかかる血流測定装置において、人体の血管の配置を示す血管配置データを記憶する記憶部と、前記記憶部に記憶された血管の配置を参照して前記血流検出部が検出した前記血管位置を変更する血管位置変更部と、を有することを特徴とする。
【００２２】
本適用例によれば、記憶部が人体の血管の配置を示す血管配置データを記憶する。そして、血管位置変更部が記憶部に記憶された血管の配置を参照して検出した血管位置を変更する。従って、血流検出ユニットの位置が本来設置するべき位置とずれているときにも、人体図に対して見易い位置に測定結果を配置することができる。
【図面の簡単な説明】
【００２３】
【図１】血流測定装置の設置例を説明するための模式図。
【図２】血流検出ユニットの構造を示す模式正面図。
【図３】血流検出ユニットが超音波を射出する方向を説明するための模式図。
【図４】血流測定装置の電気制御ブロック図。
【図５】血流測定方法のフローチャート。
【図６】血流測定方法を説明するための模式図。
【図７】血流測定方法を説明するための模式図。
【図８】血流測定方法を説明するための模式図。
【図９】血流測定方法を説明するための図。
【図１０】血流測定方法を説明するための模式図。
【図１１】血流測定方法を説明するための模式図。
【図１２】血流測定方法を説明するための模式図。
【図１３】血流測定方法を説明するための模式図。
【図１４】血流測定方法を説明するための模式図。
【図１５】血流測定方法を説明するための模式図。
【発明を実施するための形態】
【００２４】
以下、実施形態について図面に従って説明する。尚、各図面における各部材は、各図面上で認識可能な程度の大きさとするため、各部材毎に縮尺を異ならせて図示している。
【００２５】
（実施形態）
本実施形態では、血流測定装置と、この血流測定装置を用いて血流を測定する方法の特徴的な例について、図に従って説明する。実施形態にかかわる血流測定装置について図１〜図４に従って説明する。図１は、血流測定装置の設置例を説明するための模式図である。図１に示すように、血流測定装置１は血流検出部としての血流検出ユニット２と血流検出ユニット２の出力を用いて血流を演算する演算部３を備えている。
【００２６】
血流検出ユニット２は第１血流検出ユニット４〜第１１血流検出ユニット１４から構成されている。血流検出ユニット２は被検体である人体１５の皮膚に設置されている。血流検出ユニット２と人体１５との間には超音波を伝播するジェルが配置されている。
【００２７】
血流検出ユニット２が設置される場所は全身の主な血管と対向する場所であり、予め決められている。図中右側を人体１５の右側とする。人体１５の右脛部には第１血流検出ユニット４が設置され、左脛部には第２血流検出ユニット５が設置される。人体１５の右大腿部には第３血流検出ユニット６が設置され、左大腿部には第４血流検出ユニット７が設置される。人体１５の腹部には第５血流検出ユニット８が設置される。
【００２８】
さらに、人体１５の右前腕部には第６血流検出ユニット９が設置され、左前腕部には第７血流検出ユニット１０が設置される。人体１５の右上腕部には第８血流検出ユニット１１が設置され、左上腕部には第９血流検出ユニット１２が設置される。人体１５の右頚部には第１０血流検出ユニット１３が設置され、左頚部には第１１血流検出ユニット１４が設置される。尚、血流検出ユニット２の個数や配置場所は特に限定されず、血流検出ユニット２は血管と対向する場所に設置される。血流検出ユニット２は人体１５の複数の血管における血流を検出する。
【００２９】
血流検出ユニット２は配線１６により演算部３と接続されている。演算部３には入力装置１７及び表示部としての表示装置１８が設置されている。表示装置１８は人体１５における複数の場所の血流を表示する。入力装置１７はキーボードや回転つまみ等から構成されている。操作者は入力装置１７を操作して測定作業の作業開始指示や測定方法の指示入力を行う。表示装置１８はＬＣＤ（Ｌｉｑｕｉｄ  Ｃｒｙｓｔａｌ  Ｄｉｓｐｌａｙ）やＯＬＥＤ（Ｏｒｇａｎｉｃ ｌｉｇｈｔ−ｅｍｉｔｔｉｎｇ ｄｉｏｄｅ）等の表示装置である。表示装置１８には測定の状況や測定結果等が表示される。
【００３０】
図２は血流検出ユニットの構造を示す模式正面図である。第１血流検出ユニット４〜第１１血流検出ユニット１４の構造は同様な構造であり、第１血流検出ユニット４の説明をして他の血流検出ユニット２の説明を省略する。図２に示すように、第１血流検出ユニット４は基板２１を備えている。基板２１には右脛部の表面形状に合わせて凹凸が形成されている。これにより、基板２１は右脛の表面に沿って配置できるようになっている。血流検出ユニット２は人体１５の体型に合わせて複数種類の形状の物が用意されている。そして、操作者は人体１５の体型に合った血流検出ユニット２を設置する。
【００３１】
基板２１には第１血流検出センサー２２ａ〜第５血流検出センサー２２ｅの５つのセンサーからなる血流検出部としての血流検出センサー２２が設置されている。右脛部に第１血流検出ユニット４を設置したとき、血管１５ａに沿うように血流検出センサー２２が配置されている。血流検出センサー２２は血管１５ａの位置と血管１５ａを流れる血液の血流を検出するセンサーである。第１血流検出ユニット４には測定位置の血管１５ａの配置に合わせて血流検出センサー２２が配置されている。従って、血流検出センサー２２が血管１５ａを流れる血流を確実に検出することができる。尚、血流検出ユニット２に設置される血流検出センサー２２の個数は限定されない。
【００３２】
血流検出センサー２２は超音波センサーである。血流検出センサー２２には超音波を発信、及び超音波を受信し電気信号に変換する送受信素子が交互にマトリックス状に配置されている。送受信素子は超音波を発信し、血管１５ａにて反射した超音波を受信する。そして、送受信素子は受信した超音波を電気信号に変換して出力する。
【００３３】
基板２１上にはセンサー駆動回路２３が設置され、各血流検出センサー２２は配線２１ａによりセンサー駆動回路２３と接続されている。基板２１上には電池２４及びコネクター２５が設置されている。電池２４及びコネクター２５は配線２１ａによりセンサー駆動回路２３と接続されている。
【００３４】
センサー駆動回路２３は血流検出センサー２２を駆動する回路である。電池２４が供給する電力はセンサー駆動回路２３を介して血流検出センサー２２に供給される。血流検出ユニット２の受信素子が出力する信号をセンサー駆動回路２３が入力してデジタルデータに変換する。そして、センサー駆動回路２３はコネクター２５、及び配線１６を介して演算部３に受信した超音波のデジタルデータを出力する。
【００３５】
第１血流検出ユニット４には５つの血流検出センサー２２が設置されている。従って、１つの第１血流検出ユニット４を設置することにより、５つの場所の血管１５ａにおける血流を検出することができる。
【００３６】
第１血流検出ユニット４にはマークとしての第１マーク２６及び第２マーク２７が設置されている。第１マーク２６は足のくるぶしに合わせて設置するときに設置する場所を示すマークである。第２マーク２７は足の膝に合わせて設置するときに設置する場所を示すマークである。操作者は第１マーク２６を足のくるぶしに合わせて設置し、第２マーク２７を足の膝に合わせて設置する。これにより、第１血流検出ユニット４を人体１５の右脛部に位置精度良く設置することができる。他の血流検出ユニット２にもそれぞれ位置を合わせるときに用いるマークが設置されている。操作者はこのマークを用いて血流検出ユニット２を位置精度良く人体１５に設置することができる。
【００３７】
図３は血流検出ユニットが超音波を射出する方向を説明するための模式図である。図を見易くするためにハッチングが省略されている。図３に示すように、人体１５の内部には血管１５ａが設置されている。測定する対象の血管１５ａが延びる方向を血管方向１５ｂとする。血流検出センサー２２は血管１５ａに向けて超音波２８を射出する。超音波２８が進行する方向を超音波方向２８ａとする。
【００３８】
血管方向１５ｂに対して超音波方向２８ａが斜めに交差するように血流検出センサー２２は超音波２８を射出する。血管１５ａ内を流れる血液に当たって反射する超音波２８にはドップラー効果が作用する。従って、反射する超音波２８の波長の変化により血流の方向及び速度を測定することができる。
【００３９】
血管１５ａ以外の部位でも組織の界面で超音波２８が反射する。そして、反射波の位相や血流検出センサー２２に到達する時間から血流検出センサー２２と各部位との距離を測定することができる。血流検出センサー２２は超音波の発信素子と受信素子とがマトリックス状に配置されており、超音波が焦点に集まるように射出する。そして、血流検出センサー２２は超音波の焦点を移動する。超音波２８の反射波を血流検出センサー２２が受信する。そして、超音波２８の反射強度の分布から超音波画像を形成するためのデータを血流検出センサー２２が出力する。血管である場所では超音波２８の反射強度が変化するので、超音波画像において血管１５ａの位置を検出することができる。このように、血流検出センサー２２は血流の流速を測定する流速測定機能及び血管１５ａの位置を検出する血管位置検出機能を有する。
【００４０】
図４は、血流測定装置の電気制御ブロック図である。図４において、演算部３はプロセッサーとして各種の演算処理を行うＣＰＵ２９（中央演算処理装置）と、各種情報を記憶する記憶部としてのメモリー３０とを備えている。血流検出ユニット２、入力装置１７、表示装置１８は入出力インターフェイス３１及びデータバス３２を介してＣＰＵ２９に接続されている。
【００４１】
メモリー３０は、ＲＡＭ、ＲＯＭ等といった半導体メモリーや、ハードディスク、ＤＶＤ−ＲＯＭといった外部記憶装置を含む概念である。機能的には、血流測定装置１の動作の制御手順が記述されたプログラムソフト３３を記憶する記憶領域が設定される。さらに、血流検出ユニット２が出力する超音波２８が血管１５ａで反射した反射波の超音波画像のデータである血管画像データ３４を記憶するための記憶領域が設定される。他にも、超音波２８が血流に反射した波形のデータや血流の速度等のデータである血流データ３５を記憶するための記憶領域が設定される。さらに、人体１５の全身の血管の配置のデータである血管配置データ３６を記憶するための記憶領域が設定される。
【００４２】
ＣＰＵ２９は、メモリー３０内に記憶されたプログラムソフト３３に従って、血流検出ユニット２が検出する超音波２８の反射波を用いて血流の速度分布を演算するものである。具体的な機能実現部としてＣＰＵ２９は検出ユニット制御部３７を有する。検出ユニット制御部３７は測定手順に従って血流検出ユニット２に超音波２８を射出させて反射波を受信させる制御を行う。
【００４３】
他にも、ＣＰＵ２９は血流検出部としての血管位置演算部３８を有する。血管位置演算部３８は血流検出ユニット２が受信した反射波の画像から血管１５ａの位置を検出する処理を行う。そして、血管位置演算部３８は血管１５ａの位置を示す画像情報を出力する。他にも、ＣＰＵ２９は血流検出部としての血流演算部４０を有する。血流演算部４０は血流から反射した波形の波長の変化から血流の速度を演算する。血管位置演算部３８、血流演算部４０及び血流検出センサー２２を有する血流検出ユニット２等により血流検出部が構成されている。
【００４４】
他にも、ＣＰＵ２９は血管位置変更部４１を有する。血管位置変更部４１はメモリー３０から血管配置データ３６を入力して参照する。そして、血管位置演算部３８が検出した血管１５ａの位置を血管配置データ３６に合わせて変更する。血管位置変更部４１は変更した血管１５ａの位置のデータをメモリー３０に記憶する。
【００４５】
他にも、ＣＰＵ２９は表示画像演算部４２を有する。表示画像演算部４２は表示装置１８に表示する表示画像を演算する。表示画像演算部４２は血流の速度データ、血管配置データ３６及び血管位置演算部３８が検出した血管１５ａの位置のデータを組み合わせて複数種類の表示画面を演算する。そして、操作者の指示に従って所定の表示画面を表示装置１８に表示させる。
【００４６】
尚、本実施形態では、上記の各機能がＣＰＵ２９を用いてプログラムソフトで実現することとしたが、上記の各機能がＣＰＵ２９を用いない単独の電子回路によって実現できる場合には、そのような電子回路を用いることも可能である。
【００４７】
次に上述した血流測定装置１を用いて血流を測定する血流測定方法について図５〜図１５にて説明する。図５は、血流測定方法のフローチャートであり、図６〜図１５は血流測定方法を説明するための図である。図５のフローチャートにおいて、ステップＳ１はセンサー設置工程に相当し、血流検出ユニット２を人体１５に設置する工程である。次にステップＳ２に移行する。ステップＳ２は血管位置測定工程である。この工程は、血流検出ユニット２が超音波画像を検出し、血管位置演算部３８が血管の位置を測定する工程である。次にステップＳ３に移行する。
【００４８】
ステップＳ３は、血流測定工程である。この工程は、血流検出ユニット２が血流に超音波を射出して反射波を検出し、血流演算部４０が血流の速度を演算する工程である。次にステップＳ４に移行する。ステップＳ４は血管位置変更工程である。この工程は、測定した血管の位置を人体１５の血管の配置に合わせて変更し表示用の血管位置とする工程である。次にステップＳ５に移行する。ステップＳ５は表示工程である。この工程は、表示装置１８が血流の速度を表示する工程である。以上の工程により血流を測定する工程を終了する。
【００４９】
次に、図１及び図２、図６〜図１５を用いて、図５に示したステップと対応させて、血流測定方法を詳細に説明する。ステップＳ１のセンサー設置工程では図１に示すように操作者が人体１５に第１血流検出ユニット４〜第１１血流検出ユニット１４からなる血流検出ユニット２を設置する。図２に示すように各血流検出ユニット２には第１マーク２６及び第２マーク２７等の位置決め用のマークが設置されている。このマークは膝、くるぶし等人体１５の特徴的な場所に合わせるように設定されている。従って、操作者はマークを用いて血流検出ユニット２を人体１５の所定の場所に精度良く設置することができる。血流検出ユニット２では測定位置の血管の配置に合わせて血流検出センサー２２が配置されている。従って、血流検出センサー２２が血管１５ａを流れる血流を確実に検出することができる。
【００５０】
図６〜図８はステップＳ２の血管位置測定工程に対応する図である。ステップＳ２において、検出ユニット制御部３７が血流検出ユニット２に超音波画像を検出する指示信号を出力する。図６に示すように、第１血流検出ユニット４〜第１１血流検出ユニット１４の各血流検出ユニット２では血流検出センサー２２が人体１５の内部に向けて超音波２８を射出する。血流検出センサー２２は血管１５ａに沿って配置されているので、超音波２８は血管１５ａ及び血管１５ａの周囲の組織に照射される。
【００５１】
血流検出センサー２２には超音波２８を発信する素子がマトリックス状に配置されている。そして、血流検出センサー２２は超音波方向２８ａを血管方向１５ｂと交差する面に沿って走査する。このようにして、血流検出センサー２２は広い範囲に超音波２８を射出する。
【００５２】
図７に示すように、血管１５ａ及び血管１５ａの周囲の組織で反射した超音波２８の一部が血流検出センサー２２を照射する。血流検出センサー２２には受信素子がマトリックス状に配置されている。そして、血流検出センサー２２は受信した超音波２８を電気信号に変換しさらにデジタルデータに変換して血管位置演算部３８に出力する。図８に示すように、血管位置演算部３８は超音波２８の反射波のデータを用いて反射波の分布を示す超音波画像４３を演算する。この超音波画像はＢモード像と称される画像である。
【００５３】
血管位置演算部３８は反射波の波長が送信した超音波２８の波長と異なる場所を演算して抽出する。血流がある場所では反射波にドップラー効果が作用する。そして、反射波の波長が送信した超音波２８の波長と異なる場所は血流のある場所であると認識できる。超音波画像４３のうち反射波の波長が異なる場所が血流像４４である。血流像４４が複数あるときには、面積の大きい場所を選択する。血管位置演算部３８は血流の有る場所を血管画像データ３４の一部としてメモリー３０に記憶する。
【００５４】
図９はステップＳ３の血流測定工程に対応する図である。ステップＳ３において、検出ユニット制御部３７が血流の有る場所に超音波画像を検出する指示信号を血流検出センサー２２に出力する。血流検出センサー２２は血管１５ａに向けて所定の時間間隔で超音波２８を射出する。そして、血流検出センサー２２は超音波２８の反射波を電気信号に変換しさらにデジタルデータに変換して血流演算部４０に出力する。
【００５５】
血流演算部４０は反射波の波長の変化から血流の速度を演算する。図９に示すように、血流演算部４０は流速波形４５を演算する。図中横軸は時間の経過を示し時間は左側から右側へ推移する。縦軸は流速を示し、中央から離れる程流速が早くなる。上側が血管方向１５ｂの一方へ向かう流速を示し、下側が逆方向に向かう流速を示す。流速波形４５は心臓の動きに対応した略三角形の波形になっている。血流演算部４０は流速波形４５から流速のピーク値の平均を演算して測定点の血流速度とする。そして、血流速度を血流データ３５の一部としてメモリー３０に記憶する。
【００５６】
第１血流検出ユニット４〜第１１血流検出ユニット１４の総ての血流検出ユニット２の血流検出センサー２２が超音波２８の反射波を受信して電気信号に変換し、センサー駆動回路２３がデジタルデータに変換したデータを血流演算部４０に出力する。そして、血流演算部４０は各データから血流速度を演算し血流データ３５の一部としてメモリー３０に記憶する。従って、人体１５に設置された血流検出センサー２２の総ての場所の血流速度を血流演算部４０が演算する。
【００５７】
図１０及び図１１はステップＳ４の血管位置変更工程に対応する図である。予め操作者は被検体である人体１５の身長体重等の身体的データを入力しておく。ステップＳ４において、血管位置変更部４１はメモリー３０から血管配置データ３６を入力する。このとき、被検体である人体１５の身長体重等の身体的データに最も近い形態の血管配置データ３６を選択する。血管配置データ３６には人体１５の主要な血管１５ａの配置のデータが含まれている。さらに、血管位置変更部４１はメモリー３０から血管画像データ３４を入力する。血管画像データ３４には血流の有る場所を示すデータが含まれている。そして、血管位置変更部４１は血管１５ａの配置のデータを参照して血管位置演算部３８が検出した血管位置を変更する。そして、血流を測定した場所を人体１５の主要な血管１５ａの標準的な配置上に変更する。
【００５８】
右足の脛部の例にて詳しく説明する。図１０に示すように、人体１５の脛部には静脈４６が存在する。血管位置変更部４１はメモリー３０から静脈４６の血管配置データ３６を入力する。静脈４６の配置は人体１５の血管１５ａの標準的な配置である。そして、血管位置変更部４１はメモリー３０から血管位置４７を示すデータを入力する。
【００５９】
測定によって得られた血管位置４７は標準的な静脈４６の配置から離れているときがある。このとき、血管位置４７が静脈４６の配置と重なるように血管位置４７を変更する。その結果、図１１に示すように血管位置４７が標準的な静脈４６の配置と重なる。これにより、血流検出ユニット２の位置が本来設置するべき位置とずれているときにも、血管の配置を示す図に対して見易い位置に測定結果を配置することができる。
【００６０】
図１２〜図１５はステップＳ５の表示工程に対応する図である。図１２に示すように、ステップＳ５において、表示装置１８は表示画面４８に血管位置４７における血流の速度を示す。表示画面４８には人体１５の脛部の図と静脈４６を示す図が表示されている。静脈４６の配置は人体１５の血管１５ａの標準的な配置になっている。
【００６１】
そして、測定によって得られた各血管位置４７における流速波形４５が示されている。操作者は表示画面４８にて血管位置４７における流速波形４５を確認することができる。そして、流速波形４５が異常になっている場所を検出することができる。
【００６２】
図１３において、表示装置１８は表示画面４９に血管位置４７における血流の速度を示す。表示画面４９には人体１５の脛部の図と静脈４６を示す線図５０が表示されている。静脈４６の配置は人体１５の血管１５ａの標準的な配置になっている。そして、各血管位置４７に近い場所の線図５０には各血管位置４７における流速が矢印５１で示されている。矢印５１の向きは血流の流れる向きを示している。そして、矢印５１の長さは血流の流速の比例しており、流速の速さを示している。操作者は表示画面４９にて血管位置４７における血流の流速と流れる方向を確認することができる。そして、血流が異常になっている場所を検出することができる。
【００６３】
図１４において、表示装置１８は表示画面５２に血管位置４７における血流の速度を示す。表示画面５２には人体１５の脛部の図と静脈４６を示す図が表示されている。静脈４６の配置は人体１５の血管１５ａの標準的な配置になっている。そして、各血管位置４７に近い場所の静脈４６には各血管位置４７における血流の流速が矢印５３で示されている。矢印５３の向きは血流の流れる向きを示している。そして、矢印５３の長さは血流の流速の比例している。さらに、表示画像演算部４２は血管位置４７間を距離に応じて血流の速度を補間する。そして、表示画像演算部４２は補間した場所に矢印５３を表示する。
【００６４】
図１５において、表示装置１８は表示画面５４に人体１５の全身を示す人体図５５を表示する。そして、血管位置４７における血流の速度を示す。そして、各血管位置４７における血流の流速が矢印５６で示されている。矢印５６の向きは血流の流れる向きを示している。そして、矢印５６の長さは血流の流速の比例している。矢印５６は第１血流検出ユニット４〜第１１血流検出ユニット１４及び血流演算部４０が検出した血流の速度を示している。さらに、表示画像演算部４２は血管位置４７間を距離に応じて血流の速度を補間する。そして、表示画像演算部４２は補間した場所に矢印５６を表示する。操作者の指示に従って、血管１５ａの図を加えても良い。血管１５ａの配置は人体１５の血管１５ａの標準的な配置が好ましい。
【００６５】
表示装置１８には超音波画像４３を表示しても良い。操作者は表示画面５４にて人体１５の全身像を表示する。そして、操作者が観察したい場所を指示し、表示画像演算部４２が指示された場所の超音波画像４３を表示するようにしても良い。操作者は超音波画像４３により血管１５ａの位置や大きさを確認することができる。また、表示装置１８には超音波画像４３、表示画面４８〜表示画面５４のうち複数の画面や画像を選択して表示しても良い。これにより、操作者は表示画面にて血流の流速と流れる方向を確認することができる。そして、操作者は血流を直感的に捉え、異常がないか、なにか不自然なところがないかを容易に判断することができる。その結果、血流が異常になっている場所を容易に検出することができる。
【００６６】
上述したように、本実施形態によれば、以下の効果を有する。
（１）本実施形態によれば、血流検出ユニット２、血管位置演算部３８及び血流演算部４０が人体１５の複数の血管における血流を検出する。そして、表示装置１８が人体図５５における複数の場所の血流を表示する。従って、人体１５における血流の異常がある場所を容易に見つけることができる。
【００６７】
（２）本実施形態によれば、表示装置１８は血流の流速と流れる方向を矢印で示す。従って、視覚的に血流の流速と流れる方向を把握できるので容易に血流の状態を理解することができる。
【００６８】
（３）本実施形態によれば、血流測定装置１は血流検出ユニット２を有している。そして、血流検出ユニット２には血流検出センサー２２が複数設置されている。従って、１つの血流検出ユニット２を設置することにより、複数の場所の血管１５ａにおける血流を検出することができる。
【００６９】
（４）本実施形態によれば、血流検出ユニット２では測定位置の血管１５ａの配置に合わせて血流検出センサー２２が配置されている。従って、血流検出センサー２２が血管を流れる血流を確実に検出することができる。
【００７０】
（５）本実施形態によれば、血流検出ユニット２には第１マーク２６や第２マーク２７のように設置する場所を示すマークが設置されている。従って、血流検出ユニット２を人体１５の所定の場所に位置精度良く設置することができる。
【００７１】
（６）本実施形態によれば、血流検出ユニット２及び血管位置演算部３８は血管位置を検出する血管位置検出機能を有する。血流検出ユニット２及び血流演算部４０は血流の流速を測定する流速測定機能を有する。従って、血管位置検出機能により検出した血管位置の情報を用いて測定する血管１５ａの位置を確認することができる。そして、測定する予定の血管１５ａにおける血流の流速を流速測定機能により測定することができる。
【００７２】
（７）本実施形態によれば、血管位置演算部３８は血管１５ａの位置を示す超音波の画像情報を出力する。従って、操作者は血管１５ａの位置を容易に確認することができる。
【００７３】
（８）本実施形態によれば、メモリー３０が人体１５の血管の配置を示す血管配置データ３６を記憶する。そして、血管位置変更部４１がメモリー３０に記憶された血管１５ａの配置を参照して検出した血管位置４７を変更する。従って、血流検出ユニット２の位置が本来設置するべき位置とずれているときにも、人体図５５に対して見易い位置に測定結果を配置することができる。
【００７４】
（９）本実施形態によれば、複数の血流検出センサー２２で全身を対象に血流を測定している。そして、血管位置演算部３８が演算した血管位置４７に血流測定結果を全身の図上に表示している。従って、全身の血流状態を把握できるので、体の不調、病気の診断を容易に行える。検出した血管位置４７が個人ごとの血管モデルの血管１５ａのどこに該当するか特定することにより、手軽な装置でも血管位置４７の精度を高めることができる。
【００７５】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記実施形態では、血流検出ユニット２と演算部３との交信に配線１６を介して行った。血流検出ユニット２と演算部３との交信を無線にて行っても良い。血流検出ユニット２及び演算部３に電波発信部及び電波受信部を設置することで実現する。人体１５が動いても配線１６が邪魔にならないので、安定した測定を行うことができる。
【００７６】
（変形例２）
前記実施形態では、血流の速度を矢印５１、矢印５３及び矢印５６の方向や長さで表示した。他にも、丸、四角、で表示してもよい。血流の速度を図形の大きさで表示しても良い。平行線で血管を表現して平行線の幅で血流の速度を表示しても良い。他にも、血流の速度を色調で表示しても良い。例えば、流速が早い場所から遅い場所を順に黄色、赤、紫、青の順に示しても良い。他にも、血流の速度を等高線にて表示しても良い。
【００７７】
（変形例３）
前記実施形態では、被験者の形状のデータを操作者が入力した。このとき、血管モデルは、体の中の血管の位置を記述した立体のモデルで人の身長、体重、体格、体型、３サイズ、ＢＭＩ値、年齢等に合ったモデルを複数用意しておく。そして、患者の情報に合わせて適切なモデルを選択して検出した位置をモデルの血管位置に合わせるようにしても良い。的確な血流のモデルを選択することができる。
【００７８】
（変形例４）
前記実施形態では、血流検出センサー２２に超音波センサーを用いた。他にも、レーザー光を用いて血管位置や血流測定を行っても良い。
【００７９】
（変形例５）
前記実施形態では、静脈の血流を測定した。動脈の血流を測定しても良い。同様の方法で動脈の異常を検出することができる。
【００８０】
（変形例６）
前記実施形態では、血管位置演算部３８が血管１５ａの位置を検出した後で、血流演算部４０が血流を測定した。血管位置演算部３８が検出した血管１５ａを操作者が確認しても良い。そして、検出した血管１５ａの中から操作者が血流を検出する血管１５ａを選択しても良い。これにより、操作者が検査したい場所を測定することができる。
【００８１】
（変形例７）
前記実施形態では、血液の流速を矢印５１、矢印５３及び矢印５６の長さで表示した。これに加えて、血液の流速を数字にて表示しても良い。血液の流速を感覚的に捉え、さらに、詳しく把握することができる。
【符号の説明】
【００８２】
１…血流測定装置、２…血流検出部としての血流検出ユニット、１５…人体、１５ａ…血管、１８…表示部としての表示装置、２２…血流検出部としての血流検出センサー、２６…マークとしての第１マーク、２７…マークとしての第２マーク、３０…記憶部としてのメモリー、３６…血管配置データ、３８…血流検出部としての血管位置演算部、４０…血流検出部としての血流演算部、４１…血管位置変更部。
【図１】
2017153518.tif 000003
【図２】
2017153518.tif 000004
【図３】
2017153518.tif 000005
【図４】
2017153518.tif 000006
【図５】
2017153518.tif 000007
【図６】
2017153518.tif 000008
【図７】
2017153518.tif 000009
【図８】
2017153518.tif 000010
【図９】
2017153518.tif 000011
【図１０】
2017153518.tif 000012
【図１１】
2017153518.tif 000013
【図１２】
2017153518.tif 000014
【図１３】
2017153518.tif 000015
【図１４】
2017153518.tif 000016
【図１５】
2017153518.tif 000017